(57)【特許請求の範囲】
【請求項１】
外部部材への載置面及び前記載置面に対して立設する背面を有する筐体と、
前記載置面における端部であって互いに離間した箇所に取り付けられて前記筐体を支持する複数の支持部材と、
前記載置面であって前記支持部材同士の間に設けられる１個以上の第１吸着部材と、
前記背面に設けられる１個以上の第２吸着部材とを備える、電子機器。
【請求項２】
前記第１吸着部材は、前記支持部材同士の間の中央部に設けられる、請求項１に記載の電子機器。
【請求項３】
前記載置面は矩形であり、
前記支持部材は、前記載置面における互いに異なる角部に取り付けられる、請求項１又は２に記載の電子機器。
【請求項４】
前記第１吸着部材は、互いに隣り合う角部に取り付けられた２個の支持部材の間に設けられる、請求項３に記載の電子機器。
【請求項５】
前記第１吸着部材は、前記載置面における少なくとも１組の互いに対向する端部のそれぞれに設けられる、請求項４に記載の電子機器。
【請求項６】
前記第１吸着部材は、前記載置面の対角線上に位置する２個の支持部材の間に設けられる、請求項３に記載の電子機器。
【請求項７】
前記第２吸着部材は、前記背面における水平方向の中央部に設けられる、請求項１から６のいずれかに記載の電子機器。
【請求項８】
前記第２吸着部材は、前記背面における高さ方向の、中央部を含み前記中央部よりも上側に設けられる、請求項１から７のいずれかに記載の電子機器。
【発明の詳細な説明】
【技術分野】
【０００１】
この発明は、床面や机上に載置される電子機器に関する。
【背景技術】
【０００２】
近年、インクジェット式プリンタやノートパソコンのような軽量かつコンパクトな電子機器が広く普及している。このような電子機器は、床面の他に机上に載置されることも多い。ユーザが誤ってＡＣ電源のコードに足を引っ掛けること等の外力が電子機器に作用すると、電子機器は、床面にある場合は他の物体に衝突し、机上にある場合は机上から落下して、破損してしまう場合がある。
【０００３】
そこで、このような電子機器の中には、上述のような破損事故の回避や電子機器が載置位置から動いてしまう事態の防止のために、筐体の載置面に、床面や机の天板表面といった外部部材の設置面に吸着する吸着部材を備えたものがある（例えば、特許文献１参照。）。この従来の電子機器は、載置面の前方側角部に吸着部材を備え、後方側角部に緩衝部材を備え、筐体の前端部が浮かび上がる方向の外力が作用しても筐体が転倒やスライドをしないことを意図して構成されている。
【先行技術文献】
【特許文献】
【０００４】
【特許文献１】特開２０１１−０３４３０８公報
【発明の概要】
【発明が解決しようとする課題】
【０００５】
しかし、従来の電子機器は、筐体の後端部に上方向の外力が作用した場合、筐体の後端部が力点、筐体の前端部が支点で、吸着部材が作用点となり、支点から作用点までの距離が短く、支点から力点までの距離が長いので、吸着部材に大きな力が作用する。このため、吸着部材が設置面から外れ、筐体が容易に転倒又はスライドしてしまう虞がある。
【０００６】
この発明の目的は、より多くの方向からの外力による筐体の転倒及びスライドに対する耐性が高い電子機器を提供することにある。
【課題を解決するための手段】
【０００７】
この発明の電子機器は、筐体、複数の支持部材、及び１個以上の第１吸着部材を備える。筐体は、外部部材への載置面を有する。支持部材は、載置面における端部であって互いに離間した箇所に取り付けられて筐体を支持する。第１吸着部材は、載置面であって支持部材同士の間に設けられる。
【０００８】
この構成では、支持部材が載置面の端部に取り付けられ、第１吸着部材が支持部材同士の間に設けられるので、２個の支持部材を結ぶ方向における筐体のいずれの端部に上方向の外力が作用した場合でも、支点となる支持部材から作用点となる第１吸着部材までの距離が長くなる。このため、第１吸着部材に作用する力が小さくなり、第１吸着部材が設置面から外れにくくなる。
【０００９】
上述の構成において、第１吸着部材は、支持部材同士の間の中央部に設けられることが好ましい。第１吸着部材が支持部材同士の間の中央部に設けられることで、２個の支持部材を結ぶ方向における筐体の一方の端部に上方向の外力が作用した場合と他方の端部に上方向の外力が作用した場合とで、支点となる支持部材から作用点となる第１吸着部材までの距離が、同様に長くなる。このため、２個の支持部材を結ぶ方向における筐体のいずれの端部に外力が作用した場合でも、第１吸着部材に作用する力を平均的に小さくすることができる。
【００１０】
また、載置面は矩形であり、支持部材は、載置面における互いに異なる角部に取り付けられるように構成することができる。支持部材が載置面の角部に取り付けられ、２個の支持部材の間に第１吸着部材が設けられ、２個の支持部材を結ぶ方向における筐体のいずれの端部に上方向の外力が作用した場合でも、第１吸着部材に作用する力が小さくなり、第１吸着部材が設置面から外れにくくなる。
【００１１】
さらに、第１吸着部材は、互いに隣り合う角部に取り付けられた２個の支持部材の間に設けられるように構成することができる。これによって、第１吸着部材は載置面の端部に設けられるが、２個の支持部材を結ぶ方向においては筐体のいずれの端部に上方向の外力が作用した場合でも、第１吸着部材に作用する力が小さくなり、第１吸着部材が設置面から外れにくくなる。
【００１２】
また、第１吸着部材は、載置面における少なくとも１組の互いに対向する端部のそれぞれに設けられることが好ましい。これによって、第１吸着部材は、互いに隣り合う角部に取り付けられた２個の支持部材の間、即ち載置面の端部に設けられるが、互いに対向する端部の両方に設けられるので、２個の支持部材を結ぶ第１方向及び第１方向に直交する第２方向の２方向において、筐体のいずれの端部に上方向の外力が作用した場合でも、第１吸着部材に作用する力が小さくなり、第１吸着部材が設置面から外れにくくなる。
【００１３】
さらに、第１吸着部材は、載置面の対角線上に位置する２個の支持部材の間に設けられるように構成することができる。これによって、載置面に沿ったいずれの方向における載置面の端部に上方向の外力が作用した場合でも、支点から作用点までの距離が長くなり、第１吸着部材に作用する力が小さくなって、第１吸着部材が設置面から外れにくくなる。
【００１４】
また、筐体は、前記載置面に対して立設する背面を有し、背面に設けられる１個以上の第２吸着部材をさらに備えるように構成することができる。第２吸着部材を筐体の背面側の壁面に吸着させることで、外力による筐体の転倒及びスライドに対する耐性がより向上する。
【００１５】
さらに、第２吸着部材は、背面における水平方向の中央部に設けられることが好ましい。これによって、筐体の背面に作用する外力の、水平方向における支点から作用点である第２吸着部材までの距離が平均的に長くなる。このため、第２吸着部材に作用する力が小さくなり、第２吸着部材が背面側の壁面から外れにくくなる。
【００１６】
また、第２吸着部材は、背面における高さ方向の、中央部を含み中央部よりも上側に設けられることが好ましい。これによって、筐体の前方への転倒に対する耐性がより向上する。
【発明の効果】
【００１７】
この発明によれば、より多くの方向からの外力による電子機器の筐体の転倒及びスライドに対する耐性を向上することができる。
【図面の簡単な説明】
【００１８】
【図１】（Ａ）は、この発明の第１の実施形態に係る電子機器の概略の前面図であり、（Ｂ）は、その底面図である。
【図２】第２の実施形態に係る電子機器の底面図である。
【図３】第３の実施形態に係る電子機器の底面図である。
【図４】第４の実施形態に係る電子機器の底面図である。
【図５】第５の実施形態に係る電子機器の底面図である。
【図６】（Ａ）は、第６の実施形態に係る電子機器の底面図であり、（Ｂ）は、その背面図である。
【発明を実施するための形態】
【００１９】
以下に、この発明の実施形態について、図面を用いて説明する。
【００２０】
図１（Ａ）及び図１（Ｂ）に示すように、電子機器１０は、筐体２０、複数のアジャスタ３１，３２，３３，３４、及び１個以上の第１吸着部材４１，４２を備えている。電子機器１０は、床面や机の天板表面といった外部部材５０の設置面５１上に載置される。電子機器１０の具体例として、インクジェット式プリンタやノートパソコンのような軽量かつコンパクトな電子機器が挙げられる。
【００２１】
筐体２０は、底面２１を下向きにして載置される。底面２１は、外部部材５０への載置面である。筐体２０のユーザに近い側の面を前面２２とし、ユーザから遠い側の面を背面２３とする。また、筐体２０の互いに直交する３方向を、奥行き方向９１、幅方向９２、及び高さ方向９３とする。
【００２２】
アジャスタ３１〜３４は、筐体２０を支持する支持部材の一例である。アジャスタ３１〜３４は、高さ方向９３に長さ調整自在に構成されている。アジャスタ３１〜３４は、底面２１における端部であって互いに離間した箇所に取り付けられている。一例として、アジャスタ３１，３２は、底面２１における奥行き方向９１の前面２２側端部であって筐体２０の幅方向９２の両端部に取り付けられている。アジャスタ３３，３４は、底面２１における奥行き方向９１の背面２３側端部であって幅方向９２の両端部に取り付けられている。
【００２３】
第１吸着部材４１，４２は、底面２１であってアジャスタ３１〜３４同士の間に設けられる。一例として、第１吸着部材４１は、底面２１の前面２２側端部に取り付けられた２個のアジャスタ３１，３２の間に設けられている。第１吸着部材４２は、底面２１の背面２３側端部に取り付けられた２個のアジャスタ３３，３４の間に設けられている。
【００２４】
第１吸着部材４１，４２は、弾性樹脂材料で構成され、外部部材５０上に載置された際に外部部材５０の設置面５１に吸着する。
【００２５】
アジャスタ３１〜３４が底面２１の端部に取り付けられ、第１吸着部材４１，４２がアジャスタ３１〜３４同士の間に設けられるので、２個のアジャスタを結ぶ幅方向９２における筐体２０のいずれの端部に上方向の外力が作用した場合でも、支点となるアジャスタから作用点となる第１吸着部材４１，４２までの距離が長くなる。
【００２６】
例えば、図１（Ｂ）において筐体２０の右側端部が持ち上げられた場合の、支点となるアジャスタ３１から作用点となる第１吸着部材４１までの距離Ｌ１、支点となるアジャスタ３３から作用点となる第１吸着部材４２までの距離Ｌ１と、筐体２０の左側端部が持ち上げられた場合の、支点となるアジャスタ３２から作用点となる第１吸着部材４１までの距離Ｌ２、支点となるアジャスタ３４から作用点となる第１吸着部材４２までの距離Ｌ２とは、ともに長くなる。このため、第１吸着部材４１，４２がアジャスタ３１〜３４同士の間ではない箇所に設けられている場合と比較して、第１吸着部材４１，４２に作用する力が小さくなり、第１吸着部材４１，４２が設置面５１から外れにくくなる。
【００２７】
また、底面２１に沿う方向の外力が筐体２０に作用した場合は、外力の方向が、吸着部材４１，４２の設置面５１への吸着面に対して平行方向になるので、吸着部材４１，４２は設置面５１から外れにくいのは言うまでもない。
【００２８】
したがって、電子機器１０によれば、より多くの方向からの外力による電子機器１０の筐体２０の転倒及びスライドに対する耐性を向上することができる。
【００２９】
第１吸着部材４１，４２は、アジャスタ３１〜３４同士の間の中央部に設けられることが好ましい。第１吸着部材４１，４２がアジャスタ３１〜３４同士の間の中央部に設けられることで、２個のアジャスタを結ぶ幅方向９２における筐体２０の一方の端部に上方向の外力が作用した場合と他方の端部に上方向の外力が作用した場合とで、支点となるアジャスタから作用点となる第１吸着部材４１，４２までの距離Ｌ１，Ｌ２が、互いに等しくなる。このため、２個のアジャスタを結ぶ幅方向９２における筐体２０のいずれの端部に外力が作用した場合でも、第１吸着部材４１，４２に作用する力を平均的に小さくすることができる。
【００３０】
図２に示すように、アジャスタ３１〜３４のうちの少なくとも１個に代えて、高さ方向９３に所定の長さを有する支持脚３５，３６を用い、第１吸着部材がアジャスタと支持脚との間に設けられた場合でも、第１吸着部材がアジャスタ同士の間に設けられた場合と同様の効果を奏することができる。即ち、第１支持部材４１がアジャスタ３１と支持脚３５との間に設けられ、第１支持部材４２がアジャスタ３３と支持脚３６との間に設けられた場合でも、支点から作用点となる第１吸着部材４１，４２までの距離が長くなって、第１吸着部材４１，４２に作用する力が小さくなり、第１吸着部材４１，４２が設置面５１から外れにくくなる。例えば、支持脚３５，３６として、ゴム脚が挙げられる。
【００３１】
図３及び図４に示すように、底面２１は矩形であり、アジャスタ３１〜３４は、底面２１における互いに異なる角部に取り付けることができる。
【００３２】
第１吸着部材４１，４２は、互いに隣り合う角部に取り付けられた２個のアジャスタの間に設けることができる。これによって、第１吸着部材４１，４２は底面２１の端部に設けられる。
【００３３】
図３に示す例では、第１吸着部材４１は前面２２側端部に取り付けられた２個のアジャスタ３１，３２同士の間に設けられ、第１吸着部材４２は背面２３側端部に取り付けられた２個のアジャスタ３３，３４同士の間に設けられる。２個のアジャスタを結ぶ幅方向９２において筐体２０のいずれの端部に上方向の外力が作用した場合でも、第１吸着部材４１，４２に作用する力が小さくなり、第１吸着部材４１，４２が設置面５１から外れにくくなる。
【００３４】
図４に示す例では、第１吸着部材４１は左側端部に取り付けられた２個のアジャスタ３１，３３同士の間に設けられ、第１吸着部材４２は右側端部に取り付けられた２個のアジャスタ３２，３４同士の間に設けられる。２個のアジャスタを結ぶ奥行き方向９１において筐体２０のいずれの端部に上方向の外力が作用した場合でも、第１吸着部材４１，４２に作用する力が小さくなり、第１吸着部材４１，４２が設置面５１から外れにくくなる。
【００３５】
第１吸着部材４１，４２は、底面２１における少なくとも１組の互いに対向する端部のそれぞれに設けられることが好ましい。図３に示す実施形態では、第１吸着部材４１，４２は、前面２２側端部と背面２３側端部との両方に設けられている。
【００３６】
これによって、第１吸着部材４１，４２は、互いに隣り合う角部に取り付けられた２個のアジャスタの間、即ち底面２１の端部に設けられるが、互いに対向する前面２２側端部と背面２３側端部との両方に設けられるので、２個のアジャスタを結ぶ幅方向９２及び幅方向９２に直交する奥行き方向９１の２方向において、筐体のいずれの端部に上方向の外力が作用した場合でも、第１吸着部材４１，４２に作用する力が小さくなり、第１吸着部材４１，４２が設置面５１から外れにくくなる。
【００３７】
同様に、図４に示す実施形態では、第１吸着部材４１，４２は、互いに対向する左側端部と右側端部との両方に設けられている。これによっても、２個のアジャスタを結ぶ奥行き方向９１及び奥行き方向９１に直交する幅方向９２の２方向において、筐体のいずれの端部に上方向の外力が作用した場合でも、第１吸着部材４１，４２に作用する力が小さくなり、第１吸着部材４１，４２が設置面５１から外れにくくなる。
【００３８】
なお、第１吸着部材は、前面２２側端部に取り付けられたアジャスタ３１，３２同士の間、背面２３側端部に取り付けられたアジャスタ３３，３４同士の間、左側端部に取り付けられたアジャスタ３１，３３同士の間、右側端部に取り付けられたアジャスタ３２，３４同士の間のそれぞれに設けることもできる。これによっても、筐体のいずれの端部に上方向の外力が作用した場合でも、第１吸着部材に作用する力が小さくなり、第１吸着部材４１，４２が設置面５１からより外れにくくなる。
【００３９】
図５に示すように、第１吸着部材４１は、矩形の底面２１の対角線上に位置する２個の支持部材、即ち図５に示す例ではアジャスタ３１と支持脚３６との間、及びアジャスタ３３と支持脚３５との間に、設けることができる。これによって、底面２１に沿ったいずれの方向における底面２１の端部に上方向の外力が作用した場合でも、支点から作用点となる第１吸着部材４１までの距離が長くなり、第１吸着部材４１に作用する力が小さくなって、第１吸着部材４１が設置面５１から外れにくくなる。
【００４０】
図６に示すように、筐体２０は、底面２１に対して立設する背面２３を有し、背面２３に設けられる１個以上の第２吸着部材６１をさらに備えるように構成することができる。第２吸着部材６１は、弾性樹脂材料で構成され、背面２３側の壁面に吸着させることができる。
【００４１】
第２吸着部材６１を筐体２０の背面２３側の壁面に吸着させることで、外力による筐体２０の転倒及びスライドに対する耐性がより向上する。したがって、より多くの方向からの外力による電子機器１０の筐体２０の転倒及びスライドに対する耐性を向上することができる。また、弾性を有する第２吸着部材６１が緩衝材として機能することで筐体２０の背面２１からの衝撃を低下させて電子機器１０の損傷を抑制することができる。
【００４２】
第２吸着部材は、背面２３における水平方向の中央部に設けられることが好ましい。即ち、図６（Ａ）及び図６（Ｂ）において、距離Ｌ３と距離Ｌ４とが等しいことが好ましい。これによって、筐体２０の背面２３に作用する外力の、水平方向における支点から作用点である第２吸着部材６１までの距離が平均的に長くなる。このため、第２吸着部材６１に作用する力が小さくなり、第２吸着部材６１が背面２３側の壁面から外れにくくなる。
【００４３】
また、第２吸着部材６１は、背面２３における高さ方向９３の、中央部を含み中央部よりも上側に設けられることが好ましい。即ち、図６（Ｂ）において、距離Ｌ５は距離Ｌ６と等しい又は距離Ｌ５は距離Ｌ６よりも小さいことが好ましい。これによって、筐体２０の前面２２側への転倒に対する耐性がより向上する。
【００４４】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４５】
１０  電子機器
２０  筐体
２１  底面
２２  前面
２３  背面
３１〜３４  アジャスタ
３５，３６  支持脚
４１，４２  第１吸着部材
５０  外部部材
５１  設置面
６１  第２吸着部材
９１  奥行き方向
９２  幅方向
９３  高さ方向
【図１】
0005839977.tif 000002
【図２】
0005839977.tif 000003
【図３】
0005839977.tif 000004
【図４】
0005839977.tif 000005
【図５】
0005839977.tif 000006
【図６】
0005839977.tif 000007